(57)【特許請求の範囲】
【請求項１】
外壁本体の下端部に取り付けられて、基礎への水の侵入を防止する基礎水切りであって、
前記外壁本体と、この外壁本体の表面に取り付けられた外装材との間に下方から差し込まれて、前記外壁本体の下端部表面に当接される差込部と、
この差込部の下端から斜め下方に外側に延出する水切り部と、
前記差込部の下端から水平に内側に延出して、前記外壁本体の下端面に当接される第１当接部と、
この第１当接部の先端から斜め下方に内側に延出して、前記水切り部の先端と基礎の上面先端との間から臨めるように配置され、かつ、止着材穴が形成された斜め延出部とを備えていることを特徴とする基礎水切り。
【請求項２】
請求項１に記載の基礎水切りにおいて、
前記斜め延出部の先端から斜め上方に内側に延出して、先端部が前記外壁本体の下端面に当接される第２当接部を備えていることを特徴とする基礎水切り。
【請求項３】
請求項１または２に記載の基礎水切りを外壁本体の下端部に取り付けてなる基礎水切りの取付構造であって、
前記基礎水切りの差込部が、前記外壁本体とこの外壁本体の表面に取り付けられた外装材との間に下方から差し込まれて、前記外壁本体の下端部表面に当接されており、
前記水切り部の先端が前記基礎の上面より下方に位置しており、
前記第１当接部が前記外壁本体の下端面に当接されており、
前記斜め延出部が前記水切り部の先端と基礎の上面先端との間から臨めるように配置されており、
前記斜め延出部の止着材穴に、前記水切り部の先端と基礎の上面先端との間から挿入された止着材が挿通されて、前記外壁本体の下端面に打ち込みまたはねじ込まれていることを特徴とする基礎水切りの取付構造。
【請求項４】
請求項３に記載の基礎水切りの取付構造において、
前記第２当接部の先端部が前記外壁本体の下端面に当接されていることを特徴とする基礎水切りの取付構造。
【請求項５】
請求項３または４に記載の基礎水切りの取付構造において、
前記外壁本体の下端部表面には、前記外装材の下端部を支持する外装材支持金具が取り付けられており、
前記外装材支持金具は、前記外装材の下端部裏面に当接する裏面当接部と、この裏面当接部の先端から外側に水平に延出して前記外装材の下端面を支持する支持部とを備えており、
前記下端当接部と前記外壁本体との間から前記基礎水切りの差込部が差し込まれていることを特徴とする基礎水切りの取付構造。
【発明の詳細な説明】
【技術分野】
【０００１】
本発明は、基礎水切りおよび基礎水切りの取付構造に関するものである。
【背景技術】
【０００２】
基礎水切りおよび基礎水切りの取付構造の一例として、特許文献１に記載の技術が知られている。
この技術を図４および図５を参照して説明すると、まず図４に示すように、基礎水切り１は、帯状の金物本体２と、金物本体２の一端部から上方に直角に折り曲げられた第１の片３と、金物本体２の一端部近傍から斜め下方に延出された第２の片４と、この第２の片４の先端から水平に延出された第３の片５を有している。また、金物本体２の他端部には、下方に直角に折り曲げられた第４の片６が設けられ、更に金物本体２には、貫通穴７が設けられている。
【０００３】
図５は前記基礎水切り１を建物の基礎部の雨仕舞いに使用した状態の断面図である。コンクリートを打設した基礎８の天端上に台輪と呼ばれるパッキン材９を敷設し、その上に床パネル１０を載置している。
また、床パネル１０の外壁側には半割材１１が取り付けられ、この半割材１１と床パネル１０の上に壁パネル１２が取り付けられている。そして、壁パネル１２の外側には、外装材であるサイディング１３が、その下端が基礎８の天端より上にくるように隙間を設け、胴縁１４を介して半割材１１と壁パネル１２に釘打ち１６等によって取り付けられている。
【０００４】
このような建物の基礎部の雨仕舞いに基礎水切り１を使用するときには、先ず取り付け片となる第２の片４にビス止め用の穴１７を加工し、次に止水受けとなる第１の片３にＥＰＤＭ発泡材等の止水材１８を貼着した後、位置決め片となる第３の片５を半割材１１の下端に当接させると共に、止水材１８を貼着した水受けとなる第１の片３を半割材１１の表面に密着させ、ビス止め用の穴１７にビス１９を挿入して、基礎水切り１を半割材１１にビス止めする。
【特許文献１】特開平１１−２９９９０号公報
【発明の開示】
【発明が解決しようとする課題】
【０００５】
ところで、上記のような基礎水切りの取付構造では、第２の片４に形成された穴１７にビス１９を挿入して半割材１１にねじ込むことによって、基礎水切り１を取り付けているが、サイディング等の外装材１３の下端をさらに下げると、これに伴って基礎水切り１も下げることになるが、この場合、第２の片４をかなり短くするか、あるいは削除しなければならず、このため、ビス１９によって基礎水切り１を取り付けることができなくなるという問題が生じる。
また、基礎水切り１の第４の片６（水切り部）を基礎８の上面（天端）より下げた位置まで、下方に延出した方が基礎８への雨仕舞を効果的に行うことができるが、第４の片６を下げると、この第４の片６がビス１９を穴１７に挿通する際の邪魔になって、ビス１９の挿通がかなり困難になるか殆ど不可能になるという問題が生じる。
【０００６】
本発明は上記事情に鑑みてなされたもので、外装材の下端の位置を下げたり、水切り部を基礎の上面（天端）より下げた位置まで下方に延出しても、容易かつ確実に外壁本体の下端部に取り付けることができる基礎水切りおよび基礎水切りの取付構造を提供することを課題としている。
【課題を解決するための手段】
【０００７】
上記課題を解決するために、請求項１に記載の発明は、例えば図１〜図３に示すように、外壁本体３０の下端部に取り付けられて、基礎２１への水の侵入を防止する基礎水切り２０であって、
前記外壁本体３０と、この外壁本体３０の表面に取り付けられた外装材３１との間に下方から差し込まれて、前記外壁本体３０の下端部表面に当接される差込部２０ａと、
この差込部２０ａの下端から斜め下方に外側に延出する水切り部２０ｂと、
前記差込部２０ａの下端から水平に内側に延出して、前記外壁本体３０の下端面に当接される第１当接部２０ｃと、
この第１当接部２０ｃの先端から斜め下方に内側に延出して、前記水切り部２０ｂの先端と基礎２１の上面先端との間から臨めるように配置され、かつ、止着材穴２０ｉが形成された斜め延出部２０ｄとを備えていることを特徴とする。
【０００８】
ここで、「外側」とは、差込部２０ａから離間する一の方向であり、「内側」とは、前記一の方向とは逆方向に差込部２０ａから離間する他の方向のことを意味する。
また、「前記水切り部２０ｂの先端と基礎２１の上面先端との間から臨めるように配置され、」とは、斜め延出部２０ｄの基端（上端）と先端（下端）との双方から斜め延出部２０ｄの表面に対して垂直な仮想線Ｓ，Ｓを引いた場合に、これら仮想線Ｓ，Ｓが水切り部２０ｂの先端と基礎２の上面先端との間を通るように、斜め延出部２０ｄが配置されていることを意味する。
【０００９】
請求項１に記載の発明によれば、基礎水切り２０の差込部２０ａを、前記外壁本体３０とこの外壁本体３０の表面に取り付けられた外装材３１との間に下方から差し込んで、前記外壁本体３０の下端部表面に当接するとともに、前記水切り部２０ｂの先端を前記基礎２１の上面２１ａより下方に位置させ、さらに前記第１当接部２０ｃを前記外壁本体３０の下端面に当接し、前記斜め延出部２０ｄを前記水切り部２０ｂの先端と基礎２１の上面先端との間から臨めるように配置し、前記斜め延出部２０ｄの止着材穴２０ｉに、前記水切り部２０ｂの先端と基礎２１の上面先端との間から挿入された止着材３５を挿通して、前記外壁本体３０の下端面に打ち込みまたはねじ込むことができる。つまり、斜め延出部２０ｄは前記水切り部２０ｂの先端と基礎２１の上面先端との間から臨めるように配置されているので、水切り部２０ｂの先端と基礎２１の上面先端との間から止着材３５を挿入し、斜め延出部２０ｄに形成された止着材穴２０ｉに挿通して外壁本体３０の下端面に打ち込みまたはねじ込むことができる。
したがって、外装材３１の下端の位置を下げたり、水切り部２０ｂを基礎２１の上面より下げた位置まで下方に延出しても、基礎水切り２０を容易かつ確実に外壁本体３０の下端部に取り付けることができる。
【００１０】
請求項２に記載の発明は、請求項１に記載の基礎水切りにおいて、
前記斜め延出部２０ｄの先端から斜め上方に内側に延出して、先端部が前記外壁本体３０の下端面に当接される第２当接部２０ｅを備えていることを特徴とする。
【００１１】
請求項２に記載の発明によれば、前記第２当接部２０ｅの先端部を前記外壁本体３０の下端面に当接させることによって、斜め延出部２０ｄがその基端部を支点として撓むのを防止して、斜め延出部２０ｄを補強できる。したがって、斜め延出部２０ｄの止着材穴２０ｉに止着材３５を挿通して外壁本体３０の下端面に打ち込みまたはねじ込む際に、斜め延出部２０ｄの変形や破損を防止できる。
【００１２】
請求項３に記載の発明は、請求項１または２に記載の基礎水切りを外壁本体の下端部に取り付けてなる基礎水切りの取付構造であって、
前記基礎水切り２０の差込部２０ａが、前記外壁本体３０とこの外壁本体３０の表面に取り付けられた外装材３１との間に下方から差し込まれて、前記外壁本体３０の下端部表面に当接されており、
前記水切り部３１ｂの先端が前記基礎２１の上面２１ａより下方に位置しており、
前記第１当接部２０ｃが前記外壁本体３０の下端面に当接されており、
前記斜め延出部２０ｄが前記水切り部２０ｂの先端と基礎２１の上面先端との間から臨めるように配置されており、
前記斜め延出部２０ｄの止着材穴２０ｉに、前記水切り部２０ｂの先端と基礎２１の上面先端との間から挿入された止着材３５が挿通されて、前記外壁本体３０の下端面に打ち込みまたはねじ込まれていることを特徴とする。
【００１３】
請求項３に記載の発明によれば、斜め延出部２０ｄが前記水切り部２０ｂの先端と基礎２１の上面先端との間から臨めるように配置されており、水切り部２０ｂの先端と基礎２１の上面先端との間から挿入された止着材３５を止着材穴２０ｉに挿通して、外壁本体３０の下端面に打ち込みまたはねじ込むことができる。
したがって、外装材３１の下端の位置を下げたり、水切り部２０ｂを基礎２１の上面２０ａより下げた位置まで下方に延出しても、基礎水切り２０を容易かつ確実に外壁本体３０の下端部に取り付けることができる。
【００１４】
請求項４に記載の発明は、請求項３に記載の基礎水切りの取付構造において、
前記第２当接部２０ｅの先端部が前記外壁本体３０の下端面に当接されていることを特徴とする。
【００１５】
請求項４に記載の発明によれば、前記第２当接部２０ｅの先端部が前記外壁本体３０の下端面に当接されているので、斜め延出部２０ｄがその基端部を支点として撓むのを防止して、斜め延出部２０ｄを補強できる。したがって、斜め延出部２０ｄの止着材穴２０ｉに止着材３５を挿通して外壁本体３０の下端面に打ち込みまたはねじ込む際に、斜め延出部２０ｄの変形や破損を防止できる。
【００１６】
請求項５に記載の発明は、請求項３または４に記載の基礎水切りの取付構造において、
前記外壁本体３０の下端部表面には、前記外装材３１の下端部を支持する外装材支持金具３２が取り付けられており、
前記外装材支持金具３２は、前記外装材３１の下端部裏面に当接する裏面当接部３２ｃと、この裏面当接部３２ｃの先端から外側に水平に延出して前記外装材３１の下端面を支持する支持部３２ｄとを備えており、
前記裏面当接部３２ｃと前記外壁本体３０との間から前記基礎水切り２０の差込部２０ａが差し込まれていることを特徴とする。
【００１７】
請求項５に記載の発明によれば、外装材支持金具３２の裏面当接部３２ｃを外装材３１の下端部裏面に当接するとともに、支持部３２ｄによって外装材３１の下端面を支持することによって、外装材３１の下端部を安定的に支持できる。
また、裏面当接部３２ｃと外壁本体３０との間から基礎水切り２０の差込部２０ａが差し込まれているので、外装材支持金具３２を外壁本体３０の下端部表面に取り付けても、この外装材支持金具３２が基礎水切り２０の差込部２０ａの邪魔になることがない。
【発明の効果】
【００１８】
本発明によれば、基礎水切りの差込部を、前記外壁本体とこの外壁本体の表面に取り付けられた外装材との間に下方から差し込んで、前記外壁本体の下端部表面に当接するとともに、前記水切り部２０の先端を前記基礎の上面ａより下方に位置させ、さらに前記第１当接部を前記外壁本体の下端面に当接し、前記斜め延出部を前記水切り部の先端と基礎の上面先端との間から臨めるように配置し、前記斜め延出部の止着材穴に、前記水切り部の先端と基礎の上面先端との間から挿入された止着材を挿通して、前記外壁本体の下端面に打ち込みまたはねじ込むことができる。つまり、斜め延出部は前記水切り部の先端と基礎の上面先端との間から臨めるように配置されているので、水切り部の先端と基礎の上面先端との間から止着材を挿入し、斜め延出部に形成された止着材穴に挿通して外壁本体の下端面に打ち込みまたはねじ込むことができる。
したがって、外装材の下端の位置を下げたり、水切り部を基礎の上面より下げた位置まで下方に延出しても、基礎水切りを容易かつ確実に外壁本体の下端部に取り付けることができる。
【発明を実施するための最良の形態】
【００１９】
以下図面を参照して本発明の実施の形態について説明する。
図１は、本発明に係る基礎水切りを示す斜視図、図２は基礎水切りどうしを接合するに使用するジョイナーを示す斜視図、図３は本発明に係る基礎水切りの取付構造を示す側断面図である。
【００２０】
まず、本発明に係る基礎水切り２０を説明する前に、この基礎水切り２０を取り付ける外壁本体やその周辺の構成部材について図３を参照して説明する。
すなわち、基礎２１の上面には台輪２２が設置されており、この台輪２２の上面に床パネル２３が設置されている。床パネル２３は框材２３ａを矩形枠状に組み立ててなる枠体内に補強桟材を縦横に組み付けるとともに、枠体の上面に合板からなる面材２３ｂを取り付けてなるものである。なお、前記台輪２２は換気台輪となっており、その幅方向（図３において左右方向）に空気が流通可能となっている。
【００２１】
前記床パネル２３の端面には調整材２４が固定されている。この調整材２４は断面矩形状に形成されたもので、その上面は前記床パネル２３の上面と面一になっている。
床パネル２３の上面と調整材２４の上面には、壁パネル２５が設置されている。壁パネル２５は框材２５ａを矩形枠状に組み立ててなる枠体内に補強桟材を縦横に組み付けるとともに、枠体の両面に合板からなる面材２５ｂ，２５ｂを取り付けてなるものである。
上記のような壁パネル２５は、その表面が前記調整材２４の表面と面一になるようにして、床パネル２３の上面と調整材２４の上面に設置固定されている。
【００２２】
なお、基礎２１の上面からは図示しないアンカーボルトが突出しており、このアンカーボルトは床パネル２３と調整材２４との接合部に形成された上下に貫通する孔を貫通するとともに、壁パネル２５の框材２５ａを貫通しており、このアンカーボルトにはナットが螺合されて締め付けられている。これによって、壁パネル２５は床パネル２３および調整材２４を、台輪２２を介して基礎２１とで挟み付けるとともに、基礎２１に強固に連結されている。
【００２３】
また、壁パネル２５の下端部表面と調整材２４の表面とには、合板２６が固定されており、この合板２６の下端面は調整材２４の下面と面一となっている。合板２６は後述する外装材支持金具３２を取り付けるための取付部２６となるものである。
なお、本実施の形態では、前記壁パネル２５、調整材２４、合板２６によって外壁本体３０が構成されている。
【００２４】
前記外壁本体３０の表面には、外装材３１が壁パネル２３の表面に取り付けられた図示しない胴縁を介して隙間をもって取り付けられている。
また、外壁本体３０の下端部表面には、外装材３１の下端部を支持する外装材支持金具３２が取り付けられている。
外装材支持金具３２は、外壁本体３０の幅方向（図３において紙面と直交する方向）に延在する帯板状のものであり、前記取付部２６の表面に当接する表面当接部３２ａと、この表面当接部３２ａの上端から内側に水平に延出して取付部２６の上端面に係合する係合部３２ｂと、外装材３１の下端部裏面に当接する裏面当接部３２ｃと、この裏面当接部３２ｃの先端から外側に水平に延出して外装材３１の下端面を支持する支持部３２ｄと、前記表面当接部３２ａと裏面当接部３２ｃとを連結する連結部３２ｅとから構成されている。
【００２５】
そして、外装材支持金具３２は、その表面当接部３２ａを取付部２６の表面に当接するとともに、係合部３２ｂを取付部２６の上端面に係合し、さらに、裏面当接部３２ｃを外装材３１の裏面に当接するとともに、支持部３２ｄによって外装材３１の下端面を支持することによって、外装材３１を支持している。したがって、外装材３１が厚くなってその重量が増加しても、外装材３１を下方から確実に支持できる。
【００２６】
次に、本発明に係る基礎水切り２０について図１〜図３を参照して説明する。
基礎水切り２０は、図３において紙面と直交する方向に延在するものであり、差込部２０ａと、水切り部２０ｂと、第１当接部２０ｃと、斜め延出部２０ｄと、第２当接部２０ｅとから構成されている。また、基礎水切り２０は、帯状のアルミ板材を適宜折曲することによって、差込部２０ａ、水切り部２０ｂ、第１当接部２０ｃ、斜め延出部２０ｄ、第２当接部２０ｅが一体的に形成されている。
【００２７】
前記差込部２０ａは、外壁本体３０と外装材３１との間に下方から差し込まれるものであり、差し込まれた状態で、前記取付部２６の表面に当接されている。これによって、外壁本体３０の厚さ方向における基礎水切り２０の位置決めがなされている。
前記水切り部２０ｂは、差込部の下端から斜め下方に外側に延出するものであり、斜め下方に傾斜する傾斜部２０ｆと、この傾斜部２０ｆの先端から垂下する垂下部２０ｇと、この垂下部２０ｇの下端から上方に内側で折り返してなる折返し部２０ｈとから構成されており、垂下部２０ｇの先端（下端）は基礎２１の上面２１ａより下方に位置している。
【００２８】
前記第１当接部２０ｃは差込部２０ａの下端から水平に内側に延出して、外壁本体３０の下端面に当接されるものであり、外壁本体３０の下端面を構成する取付部２６の下端面と調整材２４の下面との双方に当接されている。これによって、外壁本体３０の高さ方向における位置決めがなされている。
前記斜め延出部２０ｄは、第１当接部２０ｃの先端（右端）から斜め下方に内側に延出して、水切り部２０ｂの先端（垂下部２０ｇの下端）と基礎２の上面先端との間から臨めるように配置されるものである。
つまり、斜め延出部２０ｄは、その基端（上端）と先端（下端）との双方から斜め延出部２０ｄの表面に対して垂直な仮想線Ｓ，Ｓを引いた場合に、これら仮想線Ｓ，Ｓが水切り部２０ｂの先端（垂下部２０ｇの下端）と基礎２の上面先端との間を通るように配置されたものである。また、斜め延出部２０ｃと第１当接部とのなす角は１３５度となっており、これによって、斜め延出部２０ｃは調整材２４の下面に対して４５度傾いている。
【００２９】
また、斜め延出部２０ｄには、止着材穴２０ｉが基礎水切り２０の長手方向（図３において紙面と直交する方向）に所定間隔で複数形成されている。
そして、止着材穴２０ｉに、水切り部２０ｂの先端（垂下部２０ｇの下端）と基礎２の上面先端との間から挿入されたビス等の止着材３５が挿通されて、外壁本体３０の下端面すなわち、調整材２４の下面にねじ込まれている。これによって、基礎水切り２０が外壁本体３０に取り付けられている。
前記第２当接部２０ｅは、斜め延出部２０ｄの先端（下端）から斜め上方に内側に延出するものであり、その先端部は水平に形成され、この先端部が調整材２４の下面に当接されている。また、第２当接部２０ｅと斜め延出部２０ｄとのなす角は９０度となっている。
【００３０】
上記のような基礎水切り２０は外壁本体３０の下端部に、外壁本体３０の幅方向に複数取り付けられるが、隣り合う基礎水切り２０，２０は互いにその端面が当接されるとともに、接合部材３６によって接合される。
すなわち、接合部材３６は図２に示すように、アルミ板を折曲して形成されたものであり、垂下部３６ａと、この垂下部３６ａの上端から斜め上方に延出する傾斜部３６ｂと、この傾斜部３６ｂの先端から水平に延出する水平部３６ｃとから構成されている。
【００３１】
そして、接合部材３６は、隣り合う基礎水切り２０の接合部において、垂下部３６ａを基礎水切り２０，２０の垂下部２０ｇ，２０ｇに内側から当接して接着するとともに、先端部を垂下部２０ｇと折返し部２０ｈとの間にはさみ込み、傾斜部３６ｂを基礎水切り２０，２０の傾斜部２０ｆ，２０ｆに内側から当接して接着し、さらに、水平部３６ｃを基礎水切り２０，２０の第１当接部２０ｃ，２０ｃに内側から当接して接着することによって、基礎水切り２０，２０を接合している。
【００３２】
本実施の形態によれば、基礎水切り２０の差込部２０ａを、外壁本体３０と外装材３１との間に下方から差し込んで、外壁本体３０の下端部表面に当接するとともに、前記水切り部２０ｂの先端を基礎２１の上面２１ａより下方に位置させ、さらに前記第１当接部２０ｃを外壁本体３０の下端面に当接し、前記斜め延出部２０ｄを水切り部２０ｂの先端と基礎２１の上面先端との間から臨めるように配置し、斜め延出部２０ｄの止着材穴２０ｉに、水切り部２０ｂの先端と基礎２１の上面先端との間から挿入された止着材３５を挿通して、外壁本体３０の下端面にねじ込むことができる。つまり、斜め延出部２０ｄは水切り部２０ｂの先端と基礎２１の上面先端との間から臨めるように配置されているので、水切り部２０ｂの先端と基礎２１の上面先端との間から止着材３５を挿入し、斜め延出部２０ｄに形成された止着材穴２０ｉに挿通して外壁本体３０の下端面に打ち込みまたはねじ込むことができる。
したがって、外装材３１の下端の位置を下げたり、水切り部２０ｂを基礎２１の上面より下げた位置まで下方に延出しても、基礎水切り２０を容易かつ確実に外壁本体３０の下端部に取り付けることができる。
【００３３】
また、基礎水切り２０の第２当接部２０ｅの先端部を外壁本体３０の下端面に当接させることによって、斜め延出部２０ｄがその基端部を支点として撓むのを防止して、斜め延出部２０ｄを補強できる。したがって、斜め延出部２０ｄの止着材穴２０ｉに止着材３５を挿通して外壁本体３０の下端面にねじ込む際に、斜め延出部２０ｄの変形や破損を防止できる。
さらに、外装材支持金具３２の裏面当接部３２ｃを外装材３１の下端部裏面に当接するとともに、支持部３２ｄによって外装材３１の下端面を支持することによって、外装材の下端部を安定的に支持できる。
また、外装材支持金具３２の裏面当接部３２ｃと外壁本体３０との間から基礎水切り２０の差込部２０ａが差し込まれているので、外装材支持金具３２を外壁本体３０の下端部表面に取り付けても、この外装材支持金具３２が基礎水切り２０の差込部２０ａの邪魔になることがない。
【図面の簡単な説明】
【００３４】
【図１】本発明に係る基礎水切りの一例を示す斜視図である。
【図２】本発明に係る基礎水切りどうしを接合するに使用するジョイナーを示す斜視図である。
【図３】本発明に係る基礎水切りの取付構造の一例を示す側断面図である。
【図４】従来の基礎水切りの一例を示す断面図である。
【図５】従来の基礎水切りの取付構造の一例を示す側断面図である。
【符号の説明】
【００３５】
２０  基礎水切り
２０ａ  差込部
２０ｂ  水切り部
２０ｃ  第１当接部
２０ｄ  斜め延出部
２０ｅ  第２当接部
２０ｉ  止着材穴
２１  基礎
３０  外壁本体
３１  外装材
３２  外装材支持金具
３５  止着材
【図１】
0005001111.tif 000002
【図２】
0005001111.tif 000003
【図３】
0005001111.tif 000004
【図４】
0005001111.tif 000005
【図５】
0005001111.tif 000006